(57)【特許請求の範囲】
【請求項１】
蛍光ランプ及びＬＥＤランプから成る光源と、前記光源に点灯電力を供給する点灯装置と、前記光源を保持する器具本体とを備え、前記点灯装置は、交流電源からの交流電圧を整流する整流部と、前記整流部からの脈流電圧を昇圧して平滑化する昇圧部と、前記昇圧部からの直流電圧を高周波電圧に変換して前記蛍光ランプに印加するインバータ部と、前記昇圧部からの直流電圧を降圧して前記ＬＥＤランプに印加する降圧部とを備え、前記蛍光ランプ及び前記ＬＥＤランプを、両者の照射範囲が少なくとも一部で重なるように配置し、
前記インバータ部及び前記降圧部は、何れも少なくとも１つのスイッチング素子を有し、かつ、前記蛍光ランプ及び前記ＬＥＤランプの両者を点灯させ、
前記インバータ部の前記スイッチング素子を駆動制御して前記インバータ部の出力を制御するインバータ制御部と、前記降圧部の前記スイッチング素子を駆動制御して前記降圧部の出力を制御する降圧制御部と、前記ＬＥＤランプの累積点灯時間を計時する第１計時部とを備え、
前記降圧制御部は、前記ＬＥＤランプの累積点灯時間の増加に伴って前記ＬＥＤランプに供給する点灯電力を漸増する初期照度補正を行い、かつ、点灯時間の増加に伴う点灯電力の増加量を前記ＬＥＤランプを単独で点灯する場合と比較して大きくすることを特徴とする照明装置。
【請求項２】
蛍光ランプ及びＬＥＤランプから成る光源と、前記光源に点灯電力を供給する点灯装置と、前記光源を保持する器具本体とを備え、前記点灯装置は、交流電源からの交流電圧を整流する整流部と、前記整流部からの脈流電圧を昇圧して平滑化する昇圧部と、前記昇圧部からの直流電圧を高周波電圧に変換して前記蛍光ランプに印加するインバータ部と、前記昇圧部からの直流電圧を降圧して前記ＬＥＤランプに印加する降圧部とを備え、前記蛍光ランプ及び前記ＬＥＤランプを、両者の照射範囲が少なくとも一部で重なるように配置し、
前記インバータ部及び前記降圧部は、何れも少なくとも１つのスイッチング素子を有し、かつ、前記蛍光ランプ及び前記ＬＥＤランプの両者を点灯させ、
前記インバータ部の前記スイッチング素子を駆動制御して前記インバータ部の出力を制御するインバータ制御部と、前記降圧部の前記スイッチング素子を駆動制御して前記降圧部の出力を制御する降圧制御部と、前記蛍光ランプの累積点灯時間を計時する第２計時部とを備え、
前記インバータ制御部は、前記蛍光ランプの累積点灯時間の増加に伴って前記蛍光ランプに供給する点灯電力を漸増する初期照度補正を行い、かつ、点灯時間の増加に伴う点灯電力の増加量を前記蛍光ランプを単独で点灯する場合と比較して大きくすることを特徴とする照明装置。
【請求項３】
蛍光ランプ及びＬＥＤランプから成る光源と、前記光源に点灯電力を供給する点灯装置と、前記光源を保持する器具本体とを備え、前記点灯装置は、交流電源からの交流電圧を整流する整流部と、前記整流部からの脈流電圧を昇圧して平滑化する昇圧部と、前記昇圧部からの直流電圧を高周波電圧に変換して前記蛍光ランプに印加するインバータ部と、前記昇圧部からの直流電圧を降圧して前記ＬＥＤランプに印加する降圧部とを備え、前記蛍光ランプ及び前記ＬＥＤランプを、両者の照射範囲が少なくとも一部で重なるように配置し、
前記インバータ部及び前記降圧部は、何れも少なくとも１つのスイッチング素子を有し、かつ、前記蛍光ランプ及び前記ＬＥＤランプの両者を点灯させ、
前記インバータ部の前記スイッチング素子を駆動制御して前記インバータ部の出力を制御するインバータ制御部と、前記降圧部の前記スイッチング素子を駆動制御して前記降圧部の出力を制御する降圧制御部と、前記蛍光ランプ及び前記ＬＥＤランプそれぞれの累積点灯時間を計時する第３計時部とを備え、
前記インバータ制御部は、前記蛍光ランプの累積点灯時間の増加に伴って前記蛍光ランプに供給する点灯電力を増大させる初期照度補正を行い、かつ、点灯時間の増加に伴う点灯電力の増加量を前記蛍光ランプを単独で点灯する場合と比較して大きくし、
前記降圧制御部は、前記ＬＥＤランプの累積点灯時間の増加に伴って前記ＬＥＤランプに供給する点灯電力を漸増する初期照度補正を行い、かつ、点灯時間の増加に伴う点灯電力の増加量を前記ＬＥＤランプを単独で点灯する場合と比較して大きくすることを特徴とする照明装置。
【発明の詳細な説明】
【技術分野】
【０００１】
本発明は、蛍光ランプ及びＬＥＤランプを用いた照明装置に関する。
【背景技術】
【０００２】
一般的に、蛍光ランプを代表とする熱陰極放電ランプは、エミッタが塗布された一対のタングステンコイルをフィラメントとして封装した放電管により構成される。フィラメントに塗布されたエミッタは、蛍光ランプの始動時や点灯中に飛散・蒸発して付着量が徐々に減少し、最終的にはエミッタが枯渇することにより蛍光ランプが寿命に至る。
【０００３】
蛍光ランプの点灯中におけるエミッタの飛散や蒸発の進行度合いは、点灯中におけるフィラメント温度に相関があることが知られている。点灯中のフィラメント温度が低すぎるとエミッタの飛散が激しくなり、早期にエミッタが枯渇し、ランプ寿命は短くなる。一方、点灯中のフィラメント温度が高くなるにつれてエミッタの蒸発は激しくなり、早期にエミッタが枯渇するためランプ寿命は短くなる。
【０００４】
蛍光ランプの寿命は、ＪＩＳによって規定された条件の下で点灯したとき、蛍光ランプが点灯しなくなるまでの総点灯時間又は全光束が初期値の７０％に下がるまでの総点灯時間のいずれか短いものと定義される。したがって、蛍光ランプを点灯する放電灯点灯装置においては、設定されたランプ定格寿命を満足するために、点灯中のフィラメント温度を許容範囲内に維持することが重要となる。
【０００５】
特許文献１に記載の従来例では、最大出力時のランプ電流を蛍光ランプの定格ランプ電流値よりも小さくしている。これにより、点灯時のフィラメント温度が定格点灯時のフィラメント温度よりも低い温度でも点灯させることが可能となり、蛍光ランプに設定された定格点灯時の定格ランプ寿命よりも長いランプ寿命を確保できる。
【０００６】
ここで、例えば蛍光体を含む樹脂や樹脂反射板を有する発光素子の場合においては、蛍光体の他、さらに樹脂などの劣化も経年変化による光出力の低下の原因となる。そこで、特許文献２に記載の従来例では、例えば発光ダイオード（以下、「ＬＥＤ」と呼ぶ）等の発光素子から成る光源の使用開始時には、光源に対する投入電力を抑え、時間経過に伴って投入電力を増加するようにしている。これにより、例えば蛍光体を含む樹脂や樹脂反射板が急激に高温に晒されることがなくなり、初期においては樹脂の熱的劣化が抑制され、熱的劣化による光出力の低下を抑制して光源の長寿命を達成している。
【先行技術文献】
【特許文献】
【０００７】
【特許文献１】特開２０１０−２３８３７８号公報
【特許文献２】特開２００８−４１６５０号公報
【発明の概要】
【発明が解決しようとする課題】
【０００８】
しかしながら、特許文献１に記載の従来例では、蛍光ランプの周囲温度が変化した場合に蛍光ランプの発光効率が変動するため、蛍光ランプの光束を一定に維持することができないという問題がある。また、特許文献２に記載の従来例でも、ＬＥＤの周囲温度が変化した場合にＬＥＤの発光効率が変動するため、ＬＥＤの光束を一定に維持することができないという問題がある。
【０００９】
本発明は、上記の点に鑑みて為されたもので、周囲温度の変化に依らず光源の光束を一定に維持することのできる照明装置を提供することを目的とする。
【課題を解決するための手段】
【００１１】
本発明の照明装置は、蛍光ランプ及びＬＥＤランプから成る光源と、前記光源に点灯電力を供給する点灯装置と、前記光源を保持する器具本体とを備え、前記点灯装置は、交流電源からの交流電圧を整流する整流部と、前記整流部からの脈流電圧を昇圧して平滑化する昇圧部と、前記昇圧部からの直流電圧を高周波電圧に変換して前記蛍光ランプに印加するインバータ部と、前記昇圧部からの直流電圧を降圧して前記ＬＥＤランプに印加する降圧部とを備え、前記蛍光ランプ及び前記ＬＥＤランプを、両者の照射範囲が少なくとも一部で重なるように配置し、前記インバータ部及び前記降圧部は、何れも少なくとも１つのスイッチング素子を有し、かつ、前記蛍光ランプ及び前記ＬＥＤランプの両者を点灯させ、前記インバータ部の前記スイッチング素子を駆動制御して前記インバータ部の出力を制御するインバータ制御部と、前記降圧部の前記スイッチング素子を駆動制御して前記降圧部の出力を制御する降圧制御部と、前記ＬＥＤランプの累積点灯時間を計時する第１計時部とを備え、前記降圧制御部は、前記ＬＥＤランプの累積点灯時間の増加に伴って前記ＬＥＤランプに供給する点灯電力を漸増する初期照度補正を行い、かつ、点灯時間の増加に伴う点灯電力の増加量を前記ＬＥＤランプを単独で点灯する場合と比較して大きくすることを特徴とする。
【００１２】
本発明の照明装置は、蛍光ランプ及びＬＥＤランプから成る光源と、前記光源に点灯電力を供給する点灯装置と、前記光源を保持する器具本体とを備え、前記点灯装置は、交流電源からの交流電圧を整流する整流部と、前記整流部からの脈流電圧を昇圧して平滑化する昇圧部と、前記昇圧部からの直流電圧を高周波電圧に変換して前記蛍光ランプに印加するインバータ部と、前記昇圧部からの直流電圧を降圧して前記ＬＥＤランプに印加する降圧部とを備え、前記蛍光ランプ及び前記ＬＥＤランプを、両者の照射範囲が少なくとも一部で重なるように配置し、前記インバータ部及び前記降圧部は、何れも少なくとも１つのスイッチング素子を有し、かつ、前記蛍光ランプ及び前記ＬＥＤランプの両者を点灯させ、前記インバータ部の前記スイッチング素子を駆動制御して前記インバータ部の出力を制御するインバータ制御部と、前記降圧部の前記スイッチング素子を駆動制御して前記降圧部の出力を制御する降圧制御部と、前記蛍光ランプの累積点灯時間を計時する第２計時部とを備え、前記インバータ制御部は、前記蛍光ランプの累積点灯時間の増加に伴って前記蛍光ランプに供給する点灯電力を漸増する初期照度補正を行い、かつ、点灯時間の増加に伴う点灯電力の増加量を前記蛍光ランプを単独で点灯する場合と比較して大きくすることを特徴とする。
【００１３】
本発明の照明装置は、蛍光ランプ及びＬＥＤランプから成る光源と、前記光源に点灯電力を供給する点灯装置と、前記光源を保持する器具本体とを備え、前記点灯装置は、交流電源からの交流電圧を整流する整流部と、前記整流部からの脈流電圧を昇圧して平滑化する昇圧部と、前記昇圧部からの直流電圧を高周波電圧に変換して前記蛍光ランプに印加するインバータ部と、前記昇圧部からの直流電圧を降圧して前記ＬＥＤランプに印加する降圧部とを備え、前記蛍光ランプ及び前記ＬＥＤランプを、両者の照射範囲が少なくとも一部で重なるように配置し、前記インバータ部及び前記降圧部は、何れも少なくとも１つのスイッチング素子を有し、かつ、前記蛍光ランプ及び前記ＬＥＤランプの両者を点灯させ、前記インバータ部の前記スイッチング素子を駆動制御して前記インバータ部の出力を制御するインバータ制御部と、前記降圧部の前記スイッチング素子を駆動制御して前記降圧部の出力を制御する降圧制御部と、前記蛍光ランプ及び前記ＬＥＤランプそれぞれの累積点灯時間を計時する第３計時部とを備え、前記インバータ制御部は、前記蛍光ランプの累積点灯時間の増加に伴って前記蛍光ランプに供給する点灯電力を増大させる初期照度補正を行い、かつ、点灯時間の増加に伴う点灯電力の増加量を前記蛍光ランプを単独で点灯する場合と比較して大きくし、前記降圧制御部は、前記ＬＥＤランプの累積点灯時間の増加に伴って前記ＬＥＤランプに供給する点灯電力を漸増する初期照度補正を行い、かつ、点灯時間の増加に伴う点灯電力の増加量を前記ＬＥＤランプを単独で点灯する場合と比較して大きくすることを特徴とする。
【発明の効果】
【００１４】
本発明は、蛍光ランプ及びＬＥＤランプを、両者の照射範囲が少なくとも一部で重なるように配置している。このため、周囲温度の変化による光束の低下分を各ランプが互いに補完することができるので、周囲温度に依らず光源の光束を一定に維持することができる。
【図面の簡単な説明】
【００１５】
【図１】本発明に係る照明装置の実施形態１を示す図で、（ａ）は回路概略図で、（ｂ）は各ランプ及び器具本体の概略図である。
【図２】同上の照明装置における光源の温度特性を示す図で、（ａ）は蛍光ランプ及びＬＥＤランプの周囲温度に対する光束の相関図で、（ｂ）はランプ全体の周囲温度に対する光束の相関図である。
【図３】同上の照明装置における他の構成を示す各ランプ及び器具本体の概略図である。
【図４】本発明に係る照明装置の実施形態２を示す回路概略図である。
【図５】（ａ）〜（ｅ）は、同上の照明装置における点灯時間に対する光束の変化を示す概略図である。
【図６】同上の照明装置におけるＬＥＤランプの点灯時間に対する光束の変化を示す概略図である。
【図７】本発明に係る照明装置の実施形態３を示す回路概略図である。
【図８】（ａ）〜（ｅ）は、同上の照明装置における点灯時間に対する光束の変化を示す概略図である。
【図９】本発明に係る照明装置の実施形態４を示す回路概略図である。
【図１０】（ａ）〜（ｅ）は、同上の照明装置における点灯時間に対する光束の変化を示す概略図である。
【発明を実施するための形態】
【００１６】
（実施形態１）
以下、本発明に係る照明装置の実施形態１について図面を用いて説明する。本実施形態は、図１（ａ），（ｂ）に示すように、２灯の直管形の蛍光ランプ１と、１灯の直管形のＬＥＤランプ２と、各ランプ１，２を保持する器具本体３と、各ランプ１，２に点灯電力を供給する点灯装置４とを備える。ＬＥＤランプ２は、図示しないが、複数のＬＥＤチップを実装した基板を直管形の管体に収納して成る。なお、本実施形態では、２灯の蛍光ランプ１と、１灯のＬＥＤランプ２とで光源を構成しているが、各ランプ１，２の灯数はこれに限定されるものではない。また、本実施形態ではＬＥＤランプ２を用いているが、有機ＥＬ素子を用いたランプをＬＥＤランプ２の代わりに用いてもよい。
【００１７】
器具本体３は、図１（ｂ）に示すように長尺な箱形に形成され、例えば天井等の造営面に設置する。器具本体３は、各蛍光ランプ１を着脱自在に装着可能な２対の第１ソケット３０と、ＬＥＤランプ２を着脱自在に装着可能な１対の第２ソケット３１とを備える。各ソケット３０，３１は、各ランプ１，２を装着した状態で各ランプ１，２の長手方向が器具本体３の長手方向と沿うように並設する。また、各ソケット３０，３１は、ＬＥＤランプ２を挟んで２灯の蛍光ランプ１を配置するように並設する。これにより、各蛍光ランプ１の発する光の照射範囲と、ＬＥＤランプ２の発する光の照射範囲とが少なくとも一部重なるように各ランプ１，２が配置される。
【００１８】
点灯装置４は、器具本体３内に収納する。勿論、点灯装置４を器具本体３の外部に設置してもよい。点灯装置４は、整流部４０と、昇圧部４１と、降圧部４２と、インバータ部４３とを備える。整流部４０は、商用電源ＡＣ１から供給される交流電圧を整流して脈流電圧を出力する。昇圧部４１は、整流部４０から出力される脈流電圧を昇圧して平滑化し、直流電圧を出力する。降圧部４２は、昇圧部４１から出力される直流電圧を降圧し、降圧した直流電圧を第２ソケット３１を介してＬＥＤランプ２に印加する。インバータ部４３は、昇圧部４１から出力される直流電圧を高周波電圧に変換し、高周波電圧を第１ソケット３０を介して蛍光ランプ１に印加する。
【００１９】
ところで、蛍光ランプ１は、定格点灯時においては、常温（２５℃）で最も光束が大きくなり、常温を境にして周囲温度の上昇、又は低下の何れの場合でも光束が低下する（図２（ａ）の実線参照）。特に、蛍光ランプ１は、周囲温度が常温よりも低くなると光束が大きく低下する。なお、周囲温度が常温よりも高い領域では、蛍光ランプ１の光束は低下するものの、周囲温度の上昇に対する光束の低下率は小さい。
【００２０】
一方、ＬＥＤランプ２は、蛍光ランプ１とは異なり、常温を基準として周囲温度が常温よりも低くなると光束が上昇し、常温よりも高くなると光束が低下する（図２（ａ）の点線参照）。したがって、互いに温度特性の異なる蛍光ランプ１とＬＥＤランプ２の両者の照射範囲を重ねることで、周囲温度の変化による光束の低下分を互いに補完することができる。このため、本実施形態では、周囲温度の変化に依らずランプ全体の光束を一定に維持することができる（図２（ｂ）参照）。
【００２１】
以下、具体例について説明する。本実施形態では、２灯の蛍光ランプ１を定格出力の５０％の出力で点灯することで、定格出力の蛍光ランプ１灯分の光束を得ている。ここで、定格出力とは、周囲温度が常温（２５℃）のときに最も光束が大きくなる出力である。図２（ａ）に示すように、定格出力の５０％の出力で各蛍光ランプ１を点灯する場合、周囲温度が常温よりも少し高い場合に光束が最も大きくなる（同図のＢ点参照）。
【００２２】
ここで、周囲温度が常温の状態で各蛍光ランプ１のみを点灯する場合、図２（ａ）のＡ点が各蛍光ランプ１の動作点となる。本実施形態では、各蛍光ランプ１の近傍でＬＥＤランプ２を点灯している。このため、ＬＥＤランプ２の発熱により、各蛍光ランプ１は常温よりも高い温度下で点灯する。したがって、各蛍光ランプ１の動作点は、図２（ａ）に示すＢ点となり、各蛍光ランプ１のみを点灯する場合と比較して光束を大きくすることができる。
【００２３】
ＬＥＤランプ２は、２灯の蛍光ランプ１の光束の５０％の出力、すなわち蛍光ランプ１の１灯分の光束で点灯する。ＬＥＤランプ２は、周囲温度が常温よりも低い領域では光束が上昇する。したがって、周囲温度が常温よりも低い領域では、ＬＥＤランプ２の光束が各蛍光ランプ１の光束の低下分を補完する。一方、ＬＥＤランプ２は、周囲温度が常温よりも高い領域では光束が低下するが、各蛍光ランプ１の光束がＬＥＤランプ２の光束の低下分を補完する。したがって、図２（ｂ）に示すように、各蛍光ランプ１及びＬＥＤランプ２を含めたランプ全体では、周囲温度に依らず一定の光束を維持することができる。
【００２４】
上述のように、本実施形態では、蛍光ランプ１及びＬＥＤランプ２を、両者の照射範囲が少なくとも一部で重なるように配置している。このため、周囲温度の変化による光束の低下分を各ランプ１，２が互いに補完することができるので、周囲温度に依らずランプ全体（光源）の光束を一定に維持することができる。
【００２５】
また、本実施形態では、１灯の蛍光ランプ１を定格出力で点灯するのではなく、各蛍光ランプ１をそれぞれ定格出力の５０％の出力で点灯している。これにより、蛍光ランプ１を定格出力で点灯した場合の１灯分の光束を得ている。したがって、各蛍光ランプ１を定格出力で点灯する場合と比較して、各蛍光ランプ１を流れるランプ電流を小さくすることができ、各蛍光ランプ１の長寿命化を図ることができる。
【００２６】
更に、本実施形態では、２灯の蛍光ランプ１と１灯のＬＥＤランプ２とを組み合わせて光源を構成している。このため、ＬＥＤランプ２のみで光源を構成する場合と比較して、ＬＥＤランプ２に必要なＬＥＤチップの数を減らすことができるので、コストを削減することができる。
【００２７】
なお、本実施形態では、蛍光ランプ１及びＬＥＤランプ２として何れも直管形のランプを用いているが、他の形状のランプを用いても構わない。例えば図３に示すように、円環状の蛍光ランプ１’と、円板状のＬＥＤランプ２’とを平面視円形状の器具本体３’に保持させる構成であってもよい。この構成でも、上記と同様の効果を奏することができる。
【００２８】
（実施形態２）
以下、本発明に係る照明装置の実施形態２について図面を用いて説明する。なお、本実施形態の基本的な構成は実施形態１と共通であるので、共通する部位には同一の番号を付して説明を省略する。本実施形態の点灯装置４は、図４に示すように、整流部４０と、昇圧部４１と、降圧部４２と、インバータ部４３と、昇圧制御部４４と、降圧制御部４５と、インバータ制御部４６と、第１計時部５とを備える。
【００２９】
整流部４０は、ダイオードブリッジから成り、商用電源ＡＣ１からの交流電圧を全波整流して脈流電圧を出力する。
【００３０】
昇圧部４１は、第１インダクタＬ１及び第１スイッチング素子Ｑ１及び抵抗Ｒ１の直列回路と、第１スイッチング素子Ｑ１及び抵抗Ｒ１と並列に接続される第１ダイオードＤ１及び第１コンデンサＣ１の直列回路とで構成される。第１スイッチング素子Ｑ１は、ｎ型チャネルのＭＯＳＦＥＴから成り、後述する昇圧制御部４４から駆動信号を与えられることでオン／オフを切り替える。昇圧部４１は、駆動信号により第１スイッチング素子Ｑ１のオン／オフを適宜切り替えることで、整流部４０からの脈流電圧を昇圧した直流電圧を出力する。
【００３１】
降圧部４２は、第２スイッチング素子Ｑ２及び第２ダイオードＤ２の直列回路と、第２ダイオードＤ２並列に接続される第２インダクタＬ２及び第２コンデンサＣ２の直列回路とで構成される。第２スイッチング素子Ｑ２は、ｎ型チャネルのＭＯＳＦＥＴから成り、後述する降圧制御部４５から駆動信号を与えられることでオン／オフを切り替える。降圧部４２は、駆動信号により第２スイッチング素子Ｑ２のオン／オフを適宜切り替えることで、昇圧部４１からの直流電圧を降圧し、降圧した直流電圧をＬＥＤランプ２に印加する。
【００３２】
第２スイッチング素子Ｑ２には、同じくｎ型チャネルのＭＯＳＦＥＴから成る第３スイッチング素子Ｑ３を直列に接続している。この第３スイッチング素子Ｑ３は、第２ダイオードＤ２と並列に接続され、後述する降圧制御部４５から駆動信号を与えられることでオン／オフを切り替える。第３スイッチング素子Ｑ３は、第２スイッチング素子Ｑ２がオンに切り替わる直前にオンに切り替わることで、第２スイッチング素子Ｑ２を確実に駆動させる。
【００３３】
インバータ部４３は、第４スイッチング素子Ｑ４及び第５スイッチング素子Ｑ５の直列回路と、第５スイッチング素子Ｑ５と並列に接続される第３インダクタＬ３及び第３コンデンサＣ３の直列回路とで構成される。各スイッチング素子Ｑ４，Ｑ５は、それぞれｎ型チャネルのＭＯＳＦＥＴから成り、後述するインバータ制御部４６から駆動信号を与えられることでオン／オフを切り替える。インバータ部４３は、駆動信号により各スイッチング素子Ｑ５，Ｑ６のオン／オフを交互に切り替えることで、昇圧部４１からの直流電圧を高周波電圧に変換し、変換した高周波電圧を各蛍光ランプ１に印加する。
【００３４】
なお、本実施形態では、インバータ部４３として所謂ハーフブリッジ型のインバータ回路を採用しているが、他の回路構成であってもよい。例えば、フルブリッジ型のインバータ回路や、１石型のインバータ回路、プッシュプル型のインバータ回路でインバータ部４３を構成してもよい。
【００３５】
昇圧制御部４４は、昇圧部４１の抵抗Ｒ１の両端電圧を検出し、検出した電圧値に基づいて第１スイッチング素子Ｑ１に与える駆動信号のオンデューティ比を変更する。すなわち、昇圧制御部４４は、検出した電圧値と予め設定した閾値とを比較することで、一定の直流電圧を出力するように昇圧部４１を制御する。
【００３６】
降圧制御部４５は、後述する第１計時部５で計時されるＬＥＤランプ２の累積点灯時間に基づいて第２スイッチング素子Ｑ２に与える駆動信号のオンデューティ比を変更する。これにより、降圧制御部４５は、所望の直流電圧を出力するように降圧部４２を制御する。本実施形態では、降圧制御部４５は、ＬＥＤランプ２の使用開始時においては、降圧部４２の出力電圧を抑えることで、ＬＥＤランプ２に供給する点灯電力を抑制する。そして、降圧制御部４５は、後述する第１計時部５で計時されるＬＥＤランプ２の累積点灯時間の増加に伴って降圧部４２の出力電圧を増大させることで、ＬＥＤランプ２に供給する点灯電力を漸増させる（図５（ｄ）参照）。
【００３７】
インバータ制御部４６は、各スイッチング素子Ｑ４，Ｑ５に与える駆動信号の周波数を変更することで、所望の高周波電圧を出力するようにインバータ部４３を制御する。インバータ制御部４６は、図５（ｂ）に示すように、各蛍光ランプ１の点灯時間に依らず一定の点灯電力を供給するようにインバータ部４３を制御する。また、インバータ制御部４６は、実施形態１と同様に、各蛍光ランプ１を定格出力の５０％の出力で点灯するようにインバータ部４３を制御する。このため、図５（ａ）に示すように、定格出力で点灯する場合と比較して、各蛍光ランプ１の点灯時間の増加に伴う光束の減衰率が小さくなる。
【００３８】
第１計時部５は、ＬＥＤランプ２の点灯時間を累積して計時する。この計時は、一定周期でカウントを行うカウンタ（例えば、クロックタイマ等）のカウント値に基づく。本実施形態では、降圧制御部４５が第２スイッチング素子Ｑ２に駆動信号を与えている間の時間をＬＥＤランプ２の点灯時間として計時する。
【００３９】
本実施形態では、降圧制御部４５は、ＬＥＤランプ２の点灯開始時にはＬＥＤランプ２に供給する点灯電力を抑え、累積点灯時間の増加に伴って点灯電力を漸増する初期照度補正を行なっている。このため、図６の点線に示すように、初期照度補正を行わない場合（同図の実線を参照）と比較して、寿命の目安となる光束が初期光束の７０％に達するまでの点灯時間を長くすることができる。すなわち、本実施形態では、ＬＥＤランプ２の初期照度補正を行うことで、ＬＥＤランプ２の長寿命化を図ることができる。また、ＬＥＤランプ２の寿命が初期照度補正を行わない場合の寿命で十分な場合は、ＬＥＤランプ２において不要なＬＥＤチップの数を減らすことができるので、コストを削減することができる。
【００４０】
なお、本実施形態では、ＬＥＤランプ２の近傍で各蛍光ランプ１を点灯しているので、各蛍光ランプ１の発熱によりＬＥＤランプ２の発光効率が低下する。このため、ＬＥＤランプ２を単独で点灯する場合と比較して、ＬＥＤランプ２の点灯時間の増加に伴う光束の減衰率が若干大きくなる（図５（ｃ）参照）。そこで、降圧制御部４５では、初期照度補正を行う際に、点灯時間の増加に伴う点灯電力の増加量をＬＥＤランプ２を単独で点灯する場合と比較して大きくしている（図５（ｄ）参照）。これにより、本実施形態では、点灯時間に依らずランプ全体（光源）の光束を一定に維持することができる（図５（ｅ）参照）。
【００４１】
（実施形態３）
以下、本発明に係る照明装置の実施形態３について図面を用いて説明する。なお、本実施形態の基本的な構成は実施形態２と共通であるので、共通する部位には同一の番号を付して説明を省略する。本実施形態は、図７に示すように、第１計時部５の代わりに第２計時部６を備える。
【００４２】
第２計時部６は、各蛍光ランプ１の点灯時間を累積して計時する。この計時は、第１計時部５と同様に、一定周期でカウントを行うカウンタのカウント値に基づく。本実施形態では、インバータ制御部４６が第４スイッチング素子Ｑ４及び第５スイッチング素子Ｑ５に駆動信号を与えている間の時間を各蛍光ランプ１の点灯時間として計時する。
【００４３】
インバータ制御部４６は、第２計時部６で計時された各蛍光ランプ１の点灯時間に基づいて、各蛍光ランプ１に供給する点灯電力を制御する。本実施形態では、インバータ制御部４６は、各蛍光ランプ１の使用開始時においては、インバータ部４３の出力電圧を抑えることで、各蛍光ランプ１に供給する点灯電力を抑制する。そして、インバータ制御部４６は、各蛍光ランプ１の累積点灯時間の増加に伴ってインバータ部４３の出力電圧を増大させることで、各蛍光ランプ１に供給する点灯電力を漸増させる（図８（ｂ）参照）。
【００４４】
また、インバータ制御部４６は、実施形態１と同様に、各蛍光ランプ１を定格出力の５０％の出力で点灯するようにインバータ部４３を制御する。このため、図８（ａ）に示すように、定格出力で点灯する場合と比較して、各蛍光ランプ１の点灯時間の増加に伴う光束の減衰率が小さくなる。降圧制御部４５は、図８（ｄ）に示すように、ＬＥＤランプ２の点灯時間に依らず一定の点灯電力を供給するように降圧部４２を制御する。
【００４５】
本実施形態では、ＬＥＤランプ２の初期照度補正を行う代わりに、インバータ制御部４６が各蛍光ランプ１の初期照度補正を行なっている。このため、初期照度補正を行わない場合と比較して、各蛍光ランプ１の長寿命化を図ることができる。
【００４６】
なお、本実施形態では、ＬＥＤランプ２の近傍で各蛍光ランプ１を点灯しているので、各蛍光ランプ１の発熱によりＬＥＤランプ２の発光効率が低下する。このため、ＬＥＤランプ２を単独で点灯する場合と比較して、ＬＥＤランプ２の点灯時間の増加に伴う光束の減衰率が若干大きくなる（図８（ｃ）参照）。そこで、インバータ制御部４６では、初期照度補正を行う際に、点灯時間の増加に伴う点灯電力の増加量を各蛍光ランプ１を単独で点灯する場合と比較して大きくしている（図８（ｂ）参照）。これにより、本実施形態では、点灯時間に依らずランプ全体（光源）の光束を一定に維持することができる（図８（ｅ）参照）。
【００４７】
（実施形態４）
以下、本発明に係る照明装置の実施形態４について図面を用いて説明する。なお、本実施形態の基本的な構成は実施形態２と共通であるので、共通する部位には同一の番号を付して説明を省略する。本実施形態は、図９に示すように、第１計時部５の代わりに第３計時部７を備える。
【００４８】
第３計時部７は、各蛍光ランプ１の累積点灯時間と、ＬＥＤランプ２の累積点灯時間とをそれぞれ計時する。この計時は、第１計時部５及び第２計時部６と同様に、一定周期でカウントを行うカウンタのカウント値に基づく。本実施形態では、降圧制御部４５が第２スイッチング素子Ｑ２に駆動信号を与えている間の時間をＬＥＤランプ２の点灯時間として計時する。また、本実施形態では、インバータ制御部４６が第４スイッチング素子Ｑ４及び第５スイッチング素子Ｑ５に駆動信号を与えている間の時間を各蛍光ランプ１の点灯時間として計時する。
【００４９】
降圧制御部４５は、ＬＥＤランプ２の使用開始時においては、降圧部４２の出力電圧を抑えることで、ＬＥＤランプ２に供給する点灯電力を抑制する。そして、降圧制御部４５は、第３計時部７で計時されるＬＥＤランプ２の累積点灯時間の増加に伴って降圧部４２の出力電圧を増大させることで、ＬＥＤランプ２に供給する点灯電力を漸増させる（図１０（ｄ）参照）。
【００５０】
インバータ制御部４６は、蛍光ランプ１の使用開始時においては、インバータ部４３の出力電圧を抑えることで、各蛍光ランプ１に供給する点灯電力を抑制する。そして、インバータ制御部４６は、第３計時部７で計時される各蛍光ランプ１の累積点灯時間の増加に伴ってインバータ部４３の出力電圧を増大させることで、各蛍光ランプ１に供給する点灯電力を漸増させる（図１０（ｂ）参照）。
【００５１】
また、インバータ制御部４６は、実施形態１と同様に、各蛍光ランプ１を定格出力の５０％の出力で点灯するようにインバータ部４３を制御する。このため、図１０（ａ）に示すように、定格出力で点灯する場合と比較して、各蛍光ランプ１の点灯時間の増加に伴う光束の減衰率が小さくなる。
【００５２】
本実施形態では、インバータ制御部４６が各蛍光ランプ１の初期照度補正を行い、降圧制御部４５がＬＥＤランプ２の初期照度補正を行なっている。このため、初期照度補正を行わない場合と比較して、各蛍光ランプ１及びＬＥＤランプ２の双方の長寿命化を図ることができる。また、ＬＥＤランプ２の寿命が初期照度補正を行わない場合の寿命で十分な場合は、ＬＥＤランプ２において不要なＬＥＤチップの数を減らすことができるので、コストを削減することができる。
【００５３】
なお、本実施形態では、ＬＥＤランプ２の近傍で各蛍光ランプ１を点灯しているので、各蛍光ランプ１の発熱によりＬＥＤランプ２の発光効率が低下する。このため、ＬＥＤランプ２を単独で点灯する場合と比較して、ＬＥＤランプ２の点灯時間の増加に伴う光束の減衰率が若干大きくなる（図１０（ｃ）参照）。そこで、インバータ制御部４６では、初期照度補正を行う際に、点灯時間の増加に伴う点灯電力の増加量を各蛍光ランプ１を単独で点灯する場合と比較して大きくしている（図１０（ｂ）参照）。また、降圧制御部４５においても、初期照度補正を行う際に、点灯時間の増加に伴う点灯電力の増加量をＬＥＤランプ２を単独で点灯する場合と比較して大きくしている（図１０（ｄ）参照）。これにより、本実施形態では、点灯時間に依らずランプ全体（光源）の光束を一定に維持することができる（図１０（ｅ）参照）。
【符号の説明】
【００５４】
１  蛍光ランプ
２  ＬＥＤランプ
３  器具本体
４  点灯装置
４０  整流部
４１  昇圧部
４２  降圧部
４３  インバータ部
【図１】
0005945846.tif 000002
【図２】
0005945846.tif 000003
【図３】
0005945846.tif 000004
【図４】
0005945846.tif 000005
【図５】
0005945846.tif 000006
【図６】
0005945846.tif 000007
【図７】
0005945846.tif 000008
【図８】
0005945846.tif 000009
【図９】
0005945846.tif 000010
【図１０】
0005945846.tif 000011